(57)【要約】【課題】強度及び耐久性に優れ、軽量かつコンパクトな角度調整具を備えた角度の微調整可能な背もたれ付家具を提供する。【解決手段】角度調整具14によって、前後傾動可能な背もたれ部を有する家具に於て、該角度調整具14が、背もたれ部の支持フレームに連設されるアーム部材１と、アーム部材１に一体状に形成されるギヤ部４と、ギヤ部４に係脱自在に係止して背もたれ部の後方傾動を阻止する爪部材６と、を備え、爪部材６がギヤ部４に係脱自在に係止する複数の歯部６ａを先端に有している。【選択図】図４
2008259613.tif 000002
【特許請求の範囲】
【請求項１】
角度調整具（14）によって、前後傾動可能な背もたれ部（17）を有する家具に於て、該角度調整具（14）が、上記背もたれ部（17）の支持フレーム（19）に連設されるアーム部材（１）と、該アーム部材（１）に一体状に形成されるギヤ部（４）と、上記ギヤ部（４）に係脱自在に係止して上記背もたれ部（17）の後方傾動を阻止する爪部材（６）と、を備え、上記爪部材（６）が上記ギヤ部（４）に係脱自在に係止する複数の歯部（６ａ）を先端に有することを特徴とする背もたれ付家具。
【請求項２】
上記爪部材（６）の複数の上記歯部（６ａ）を有する前面（７）とは反対の背面（９）に当接して上記ギヤ部（４）に爪部材（６）を押し付ける回転小ローラ（13）を有する操作レバー（12）を備えた請求項１記載の背もたれ付家具。
【請求項３】
座部フレーム（20）に連設され、上記爪部材（６）とギヤ部（４）とを収納可能な収納空間部（３）を有する板金製保持部材（２）と、上記アーム部材（１）を常時前方へ揺動する方向に弾発付勢する渦巻きばね（10）と、を有し、上記アーム部材（１）と上記保持部材（２）とを枢着して、上記渦巻きばね（10）の外端係止部（10ｂ）を上記アーム部材（１）に係止すると共に、上記保持部材（２）の一部を折曲げて突出させた係止片（15）に上記渦巻きばね（10）の内端係止部（10ａ）を係止可能に構成し、上記渦巻きばね（10）は中心部近傍をくり抜いたようにして内端係止部（10ａ）を形成した請求項１及び２記載の背もたれ付家具。
【請求項４】
上記操作レバー（12）に一方端（11ａ）を係止可能なねじりばね（11）を有し、上記アーム部材（１）と上記操作レバー（12）とを枢着して、上記保持部材（２）の一部を折曲げて突出させた起立片（16）に上記ねじりばね（11）の他方端（11ｂ）を係止して、上記操作レバー（12）の上記回転小ローラ（13）を上記爪部材（６）に押し付けるように弾発付勢すると共に、上記操作レバー（12）の揺動を上記起立片（16）にて規制するように構成した請求項１と２又は３記載の背もたれ付家具。
【請求項５】
複数の上記歯部（６ａ）の内の中央位置の歯部（６ａ′）と、上記ギヤ部（４）との接触点（Ｐ）を通る該ギヤ部（４）のピッチ円（Ｑ）の接線（Ｌ）よりも該ギヤ部（４）に寄って、上記爪部材（６）の枢着点（Ｓ）を配設した請求項１乃至４記載の背もたれ付家具。
【発明の詳細な説明】
【技術分野】
【０００１】
本発明は、背もたれの角度が調整可能な背もたれ付家具に関する。
【背景技術】
【０００２】
例えば、背もたれ部と座部を有する座いすのような従来の背もたれ付家具は、背もたれ部の傾斜角度を調整できるように背もたれ部と座部の間に角度調整機能を有する金具を備えている。この角度調整具は、ラチェットギヤ部材のギヤ歯に爪片を係止させて、座部に対して背もたれ部が後方向に傾動するのを規制している（特許文献１参照）。
【０００３】
しかし、ギヤ歯と爪片にかかる力は人間の体重を支えるものであり、非常に大きい力が作用する。そこで、ギヤ歯と爪片の接触面積を増やして面圧を軽減させるために、爪片を大きくし、また、ラチェットギヤ部のギヤ歯を大きくしていた。
【特許文献１】実公昭５９−２０１１８号公報
【発明の開示】
【発明が解決しようとする課題】
【０００４】
解決しようとする課題は、爪片やギヤ歯にかかる力を受ける為に、爪片やギヤ歯が大型化し、ギヤ歯のピッチを大きくする必要となり、結果、背もたれ部の角度調整段数が減少して、背もたれ角度の微調整ができなかった点である。（通常の座いすでは、後傾への角度調節段数は４〜６段程度である。）また、爪片やギヤ歯の大型化に伴って、角度調整金具が大型で重いものとなっていた点である。
【０００５】
そこで、本発明は、強度及び耐久性に優れ、軽量かつコンパクトな角度調整具を備えた角度の微調整可能な背もたれ付家具の提供を目的とする。
【課題を解決するための手段】
【０００６】
そこで、本発明に係る背もたれ付家具は、角度調整具によって、前後傾動可能な背もたれ部を有する家具に於て、該角度調整具が、上記背もたれ部の支持フレームに連設されるアーム部材と、該アーム部材に一体状に形成されるギヤ部と、上記ギヤ部に係脱自在に係止して上記背もたれ部の後方傾動を阻止する爪部材と、を備え、上記爪部材が上記ギヤ部に係脱自在に係止する複数の歯部を先端に有するものである。
【０００７】
また、上記爪部材の複数の上記歯部を有する前面とは反対の背面に当接して上記ギヤ部に爪部材を押し付ける回転小ローラを有する操作レバーを備えたものである。
【０００８】
また、座部フレームに連設され、上記爪部材とギヤ部とを収納可能な収納空間部を有する板金製保持部材と、上記アーム部材を常時前方へ揺動する方向に弾発付勢する渦巻きばねと、を有し、上記アーム部材と上記保持部材とを枢着して、上記渦巻きばねの外端係止部を上記アーム部材に係止すると共に、上記保持部材の一部を折曲げて突出させた係止片に上記渦巻きばねの内端係止部を係止可能に構成し、上記渦巻きばねは中心部近傍をくり抜いたようにして内端係止部を形成したものである。
【０００９】
また、上記操作レバーに一方端を係止可能なねじりばねを有し、上記アーム部材と上記操作レバーとを枢着して、上記保持部材の一部を折曲げて突出させた起立片に上記ねじりばねの他方端を係止して、上記操作レバーの上記回転小ローラを上記爪部材に押し付けるように弾発付勢すると共に、上記操作レバーの揺動を上記起立片にて規制するように構成したものである。
【００１０】
また、複数の上記歯部の内の中央位置の歯部と、上記ギヤ部との接触点を通る該ギヤ部のピッチ円の接線よりも該ギヤ部に寄って、上記爪部材の枢着点を配設したものである。
【発明の効果】
【００１１】
本発明の背もたれ付家具によれば、爪部材がギヤ部に係脱自在に係止する複数の歯部を先端に有するので、爪部材にかかる（傾動を阻止する）力を複数の歯部にて分散して受けることができ、各々の歯部にかかる力を小さくできる。つまり、ギヤ部と爪部材を小型・軽量化できる。さらに、ギヤ部のギヤ歯が小さくでき、ギヤ歯数を増やせるので、背もたれ部の角度を微調整できる。また、爪部材を押し付ける回転小ローラを有する操作レバーを備えているので、爪部材を確実にギヤ部に係止できる。また、保持部材の一部を折曲げて突出させた係止片に渦巻きばねの内端係止部を係止可能に構成しているので、渦巻きばねの内端用係止部品を別途必要とせず、部品数が削減できる。また、渦巻きばねの中心部近傍をくり抜いたようにして形成しているので、軽量化できる。また、保持部材の一部を折曲げて突出させた起立片にねじりばねの他方端を係止するので、ねじりばねの他方端係止用部品を必要とせず、部品数を削減できる。さらに、操作レバーの揺動を起立片にて規制するように構成しているので、規制部材を必要とせず部品数を削減できる。また、複数の歯部の内の中央位置の歯部と、ギヤ部との接触点を通るギヤ部のピッチ円の接線よりもギヤ部に寄って、爪部材の枢着点を配設しているので、背もたれ部に大きな倒れるような外力が作用しても、爪部材の歯部が（外れずに）確実に係止状態を保つ。
【発明を実施するための最良の形態】
【００１２】
以下、実施の形態を示す図面に基づき本発明を詳説する。
図１は本発明の背もたれ付家具の実施の一形態を示す斜視図である。
図１に於て17は背もたれ部であって、金属製のパイプ部材をＵ字状に曲げて成型して補強部材を溶接した支持フレーム19からなっている。また、18は背もたれ部17に対応する座部であって、支持フレーム19と同様の金属製のパイプ部材をＵ字状に曲げて成形して補強部材を溶接した座部フレーム20からなっている。そして、支持フレーム19の一方端を角度調節機能を有する間接金具である角度調整具14を介して座部フレーム20の一方端に連結すると共に、支持フレーム19の他方端を間接金具である継ぎ金具24を介して、座部フレーム20の他方端に接続している。即ち、角度調整具14によって、背もたれ部17の傾斜角度を変更可能に構成している。
【００１３】
ここで、継ぎ金具24を図を用いて説明する。図２は、継ぎ金具の一例を示す分解斜視図である。図２において、25は板金成形した継ぎアーム部材である。継ぎアーム部材25は、パイプ挿入円筒部25ａと、枢着用の貫孔25ｃを形成する枢着ボス面25ｂと、を有している。つまり、２つの継ぎアーム部材25，25の各々の貫孔25ｃ，25ｃを同心状にして各々の枢着ボス面25ｂ，25ｂを当接し、枢着リベット部材26で揺動自在に枢着したものが、継ぎ金具24である。そして、上述したように、継ぎ金具24は、各々のパイプ挿入円筒部25ａ，25ａを、支持フレーム19と座部フレーム20とに各々挿入して、支持フレーム19と座部フレーム20を揺動可能に連結している。
【００１４】
次に、角度調整具14を図を用いて説明する。図３は、角度調整具の実施の一例を示す斜視図であり、図４は、その分解斜視図であり、図５は、その右側面図であり、図６は、その左側面図である。そして、図７は要部断面側面図である。
図３乃至図７において、上述した、支持フレーム19及び座部フレーム20は省略している。また、１は、板金成形されたアーム部材であって、アーム部材１は、第１枢着孔１ｃを中心部に形成するギヤ部４と、支持フレーム19を外嵌可能な第１円筒部１ａと、を一体状に有している。この第１円筒部１ａは、ギヤ部４から延伸して形成している。また、第１円筒部１ａから突出させた凸部29に貫通した係止孔１ｂを設けている。ギヤ部４は略145 °（±10°）の円弧範囲に19個のギヤ歯４ａを有している。つまり、ギヤ溝を20個形成している。そして、図１を用いて説明したように、この第１円筒部１ａは支持フレーム19の一方端を外嵌して連結している。  
【００１５】
また、２は、板金成形された保持部材であって、保持部材２は、対面状に配置された側面壁27，28によって収納空間部３を形成すると共に、座部フレーム20を外嵌可能な第２円筒部２ａを一体状に有している。この第２円筒部２ａは空間部３から延伸して形成している。そして、一方の側面壁27の一部を空間部３とは逆の外側方向に折り曲げて突出させ、切欠部16ａを有する起立片16を形成している。また、他方の側面壁28の一部を空間部３とは逆の外側方向に折曲げて突出させた係止片15を形成している。さらに、各々の側面壁27，28を貫通する第２枢着孔２ｃと第１支持孔２ｄを形成している。また、アーム部材１と保持部材２の組立状態では、空間部３にアーム部材１のギヤ部４を収納して、アーム部材１の第１枢着孔１ｃと保持部材２の第２枢着孔２ｃとを枢着している。そして、図１を用いて説明したように、この第２円筒部２ａは、座部フレーム20の一方端を外嵌して連結している。
【００１６】
また、ギヤ部４に係止可能な複数の歯部６ａを前面７に有すると共に、カム面を形成した背面９を有するブロック状の爪部材６を備えている。さらに、爪部材６を、保持部材２の空間部３に収納している。さらに、ギヤ部４に爪部材６の複数の歯部６ａが噛合可能となるように、保持部材２に貫通して設けられた第１支持孔２ｄと、爪部材６の側面に貫通して設けられた第２支持孔と、をリベット軸23にて枢着している。
【００１７】
また、爪部材６の背面９に当接して、歯部６ａをギヤ部４に噛合させる円筒状の回転小ローラ13と、回転小ローラ13を回転可能に保持する軸部21を一体状に有する操作レバー12とを、備え、操作レバー12は貫通して設けた第３枢着孔12ｃを有し、保持部材２の一方の側面壁27の外側面に第２枢着孔２ｃと第３枢着孔12ｃを同心状にして枢着している。つまり、軸部21に挿入した回転小ローラ13を、操作レバー12の揺動によって、背面９へ接触・離間を操作可能に構成している。
【００１８】
また、アーム部材１の係止孔30に係止ピン８を挿通して固着している。そして、アーム部材１と保持部材２が枢着した状態で、アーム部材１の第１円筒部１ａを保持部材２の第２円筒部２ａに接近させるように常時弾発付勢させる渦巻きばね10を取着している。渦巻きばね10は、外端を曲げて形成した外端係止部10ｂを係止ピン８に係止させると共に、保持部材２の係止片15に渦巻きばね10の内端を曲げて形成した内端係止部10ａを係止させている。また、この渦巻きばね10は、従来の渦巻きばねのように中心部までばね材が渦巻き状に形成されているものではなく、中心部近傍をくり抜いて軽量化し、内端を曲げて内端係止部10ａを成形したものである。
【００１９】
また、操作レバー12に一方端11ａを係止可能なねじりばね11を備え、アーム部材１の起立片16の切欠部16ａにねじりばね11の他方端11ｂを係止している。また、ねじりばね11は、操作レバー12に回転自在に保持される回転小ローラ13を、爪部材６の背面９に当接させて、爪部材６の歯部６ａをギヤ部４に押し付けるようにしている。言い換えると、ねじりばね11は、操作レバー12を座部18の方向（在席者からみて下方向）へ常時弾発付勢している。また、操作レバー12を背もたれ部17の方向（在席者からみて上方向）へ揺動すると、図１で示した、操作レバー12の当り上面12ａが起立片16の当り下面16ｂに当接して、上方への揺動を規制するように構成している。
【００２０】
また、鍔部５ａを有する第１枢着軸５に、ねじりばね11を段差部５ｂに挿通させ、さらに、段差部５ｂから突出した枢着軸部５ｃを第１・２・３枢着孔１ｃ，２ｃ，12ｃに串差し状に挿通して、枢着している。つまり、アーム部材１と、保持部材２と、操作レバー12とを、同一軸心Ｃ1 廻りに揺動可能に枢着している。
【００２１】
また、上述した保持部材２の支持孔２ｄの配置の基準でもある爪部材６の枢着点Ｓの配設位置を、図を用いて説明する。図９は、アーム部材１が後傾方向の力を受けて、歯部６ａとギヤ部４が噛合している状態を説明する要部拡大説明図であり、図10は爪部材６の枢着点の配置を示す説明図である。図９において、中央位置の歯部６ａ′（歯部６ａが偶数個の場合は、中央から枢着点Ｓに寄っている歯を中央位置の歯部６ａ′とする）とギヤ部４のギヤ歯４ａの接触点をＰとしている。また、二点鎖線で示すＱは、ギヤ部４のピッチ円である。そして、Ｌは、接触点Ｐを通るピッチ円Ｑの接線を示している。つまり、図10に示すように、爪部材６の枢着点Ｓは、接線Ｌよりもギヤ部４に水平方向にＷ寸法寄って、配設している。
【００２２】
なお、本発明は、設計変更可能であって、例えば、爪部材６の歯部６ａとギヤ部４の噛合の離間を補助する弾発部材を付設しても良い。また、操作レバー12に座席者がレバー操作を容易におこなえるように、握り部を有するハンドルレバーを取着するのが望ましい。また、アーム部材１に爪部材６の先端部30が係止可能なストッパー溝31を形成して、ギヤ部４と歯部６ａが離間してアーム部材１が前傾し過ぎないように、爪部材６の先端部30がストッパー溝31に係止して、アーム部材1 の前傾方向への揺動を規制するように構成するのが望ましい。また、ギヤ歯４ａや歯部６ａは実施の一例で示した数に限らず自由である。また、渦巻きばね10は、中心部近傍をくり抜き加工したものではなく、ばねの成形工程段階で、中心部近傍を形成しないように製作したものでもよい。
【００２３】
上述した本発明の背もたれ付家具の使用方法（作用）について図を用いて説明する。
図10は、座部18に対する背もたれ部17の後傾角度を示すαが90°でギヤ部４と歯部６ａが噛合した状態を説明する要部断面側面図であり、図11は、ギヤ部４から歯部６ａが離間した状態を説明する要部断面側面図であり、図12は、座部18に対する背もたれ部17の後傾角度を示すαが180 °でギヤ部４と歯部６ａが噛合した状態を説明する要部断面側面図である。
図10において、操作レバー12がねじりバネ11によって、常時下方に弾発付勢されている。そして、操作レバー12に取着された回転小ローラ13が爪部材６の背面９に当接して、爪部材６の歯部６ａをアーム部材１のギヤ部４に押し付けて噛合させている。この際、アーム部材１は、上述した、渦巻きばね10によって、常時前方傾動するように弾発付勢されている。そして、座席者（使用者）が図１に示した背もたれ部17に寄り掛かると、人の荷重が渦巻きばね10の弾性付勢する力よりも大きいので、アーム部材１は、後方へ傾動しようとする。しかし、爪部材６の複数の歯部６ａがギヤ部４に噛合しているので、アーム部材１（背もたれ部17）の後方への傾動を阻止している。つまり、爪部材６の複数の歯部６ａで荷重を受けている。
【００２４】
次に、背もたれ部17を後傾へ角度調整する際は、操作レバー12を上方へ揺動させる（座席者が操作レバー12を引く）。すると、図11に示すように回転小ローラ13が爪部材６の背面９に沿って回転しながら離間すると共に、爪部材６は後方へ傾動する。さらに、アーム部材１は渦巻きばね10によって前傾方向に弾発付勢されているので、前傾動しようとする。そこで、図１に示した背もたれ部17に荷重を掛けて、アーム部材１を後方へ傾動させる。そして、背もたれ部17（アーム部材１）を希望する所定の位置にしたところで、操作レバー12を下方へ揺動する（元に戻す）。すると、回転小ローラ13が爪部材６の背面９に沿って回転しながら当接して、爪部材６の複数の歯部６ａをギヤ部４に押し付けて噛合される。つまり、アーム部材１の前後方向の傾動を阻止して、背もたれ部17の角度が決定される。その後、背もたれ部17にかかる後傾への荷重（体重）は、爪部材６の複数の歯部６ａが受けている。また、操作レバー12の上方へ引いて揺動させた際に、操作レバー12の当り上面12ａが上述した図１に示す起立片16の当り下面16ｂに当接して上方への揺動を規制している。
【００２５】
次に、背もたれ部17の角度を前傾方向に調整する際は、操作レバー12を上方へ揺動させる。すると、回転小ローラ13が爪部材６の背面９に沿って回転しながら離間すると共に、爪部材６が後傾して、アーム部材１を係止するものがない状態になる。そして、背もたれ部17に荷重を掛けないようにする。すると、渦巻きばね10がアーム部材１（背もたれ部17）を前傾方向へ弾発付勢させるので、自動で背もたれ部17は前傾方向へ揺動する。そこで、背もたれ部17を希望する所定の位置にしたところで、操作レバー12を下方へ揺動する。すると、回転小ローラ13が爪部材６の背面９に沿って回転させながら当接し、爪部材６の歯部６ａがギヤ部４に押し付けて噛合される。つまり、背もたれ部17の角度が決定する。ここで、操作レバー12の上方へ引いて揺動させて、背もたれ部17に荷重を掛けないと、背もたれ部17は、渦巻きばね10の弾発付勢によって、折り畳むように前傾するが、上述した設計変更可能の内容のように、爪部材６の歯部６ａとギヤ部４が噛合していなくても、アーム部材１に爪部材６の先端部30が係止可能なストッパー溝31を形成しておけば、爪部材６の先端部30がストッパー溝31に係止して、ギヤ部４と歯部６ａが離間した状態（操作レバー12を上方へ引いた状態）でアーム部材１が前傾方向へ揺動し過ぎることはない。
【００２６】
また、爪部材６とギヤ部４の噛み合わせについて、アーム部材１が図10に示した最初の状態の（後傾角度αが90°）と、図12の後傾角度αが180 °に傾動している状態を用いて説明すると、図12の実施の一例では、ギヤ部４のギヤ歯は19個（ギヤ溝は20箇所）であり、爪部材６の歯部６ａは５個である。さらに、溝部が１つ残った状態で180 °となっているので、アーム部材１は、90°から180 °の90°の区間を14段階で調整可能となる。言いかえると、実施の一例の角度調整具14は、略６°24′間隔で、背もたれ部17の角度を微調整可能としている。つまり、歯部６ａやギヤ歯４ａの歯数の増減や噛み合わせ歯数の増減で角度切換段数を10〜25段にすることを可能としている。
【００２７】
以上のように、本発明は、角度調整具14によって、前後傾動可能な背もたれ部17を有する家具に於て、角度調整具14が、背もたれ部17の支持フレーム19に連設されるアーム部材１と、アーム部材１に一体状に形成されるギヤ部４と、ギヤ部４に係脱自在に係止して背もたれ部17の後方傾動を阻止する爪部材６と、を備え、爪部材６がギヤ部４に係脱自在に係止する複数の歯部６ａを先端に有するので、爪部材６にかかる傾動を阻止する力を複数の歯部６ａにて分散して受けることができ、各々の歯部６ａにかかる力を小さくできる。つまり、ギヤ部４のギヤ歯４ａが小さくでき、ギヤ数を増やせるので、背もたれ部17の位置決め段数を多段にできる。即ち、背もたれ部17の角度を微調整できる。さらに、ギヤ部４と爪部材６を小型化でき、軽量化できる。
【００２８】
また、爪部材６の複数の歯部６ａを有する前面７とは反対の背面９に当接してギヤ部４に爪部材６を押し付ける回転小ローラ13を有する操作レバー12を備えているので、爪部材６を確実にギヤ部４に押し付けて背もたれ部17を支持できる。さらに、回転小ローラ13が爪部材６の背面９に沿って回転して押し付けるので、操作レバー12の下方への揺動を僅かな力ででき、操作が容易にできる。また、操作レバー12を上方へ揺動した際も、回転小ローラ13が回転して離間するので、容易に操作レバー12を操作できる。
【００２９】
また、座部フレーム20に連設され、爪部材６とギヤ部４とを収納可能な収納空間部３を有する板金製保持部材２と、アーム部材１を常時前方へ揺動する方向に弾発付勢する渦巻きばね10と、を有し、アーム部材１と保持部材２とを枢着して、渦巻きばね10の外端係止部10ｂをアーム部材１に係止すると共に、保持部材２の一部を折曲げて突出させた係止片15に渦巻きばね10の内端係止部10ａを係止可能に構成し、渦巻きばね10は中心部近傍をくり抜いたようにして内端係止部10ａを形成しているので、渦巻きばね10が軽量化できる。、また、保持部材２の一部を折曲げて突出させた係止片15に渦巻きばね10の内端係止部10ａを係止可能に構成しているので、渦巻きばね10の内端係止用部品を別途必要とせず、部品数が削減でき、コストダウンできる。また、保持部材２は、座部フレーム20に連設可能な第２円筒部２ａと、爪部材６やギヤ部４が収納される空間部３と、渦巻きばね10の内端係止部10ａとを、板金による一体成形が可能なので、組立工程の削減ができると共に、安価に生産できる。
【００３０】
また、操作レバー12に一方端11ａを係止可能なねじりばね11を有し、アーム部材１と上記操作レバー12とを枢着して、保持部材２の一部を折曲げて突出させた起立片16にねじりばね11の他方端11ｂを係止して、操作レバー12の回転小ローラ13を爪部材６に押し付けるように弾発付勢すると共に、操作レバー12の揺動を起立片16にて規制するように構成しているので、別途に規制部材を必要とせず部品数を削減できる。また、保持部材２は、座部フレーム20に連設可能な第２円筒部２ａと、爪部材６やギヤ部４が収納される空間部３と、渦巻きばね10の内端係止部10ａと、操作レバー12の揺動を規制する起立片16とを、板金による一体成形が可能なので、組立工程の削減ができると共に、安価に生産できる。また、起立片16にて、操作レバー12の揺動が規制されるので、操作レバー12の誤操作を防止できる。また、ねじりばね11を使用するので、引っ張りばね等を使用した際の誤動作の原因であった、ゴミによる噛み込みや、ばねの座部への引っ掛かり等による不具合や誤動作を防止できる。また、操作レバー12に直接係止可能な一方端11ａをねじりばね11が有しているので、別途係止部材を必要とせず、部品数が削減でき、軽量で安価に生産できる。
【００３１】
また、複数の歯部６ａの内の中央位置の歯部６ａ′と、ギヤ部４との接触点Ｐを通る該ギヤ部４のピッチ円Ｑの接線Ｌよりもギヤ部４に寄って、爪部材６の枢着点Ｓを配設しているので、爪部材６の背面９から回転小ローラ13が離間したとき、爪部材６がギヤ部４から自ら離れるように歯部６ａがギヤ部４からスムーズに離脱できる。また、回転小ローラ13が当接した状態では、複数の歯部６ａが確実かつスムーズにギヤ部４に係止でき、背もたれ部17（アーム部材１）にかかる荷重を歯部６ａが確実に受けることができる。
【図面の簡単な説明】
【００３２】
【図１】本発明の実施の一形態を示す斜視図である。
【図２】継ぎ金具の実施の一例を示す分解斜視図である。
【図３】角度調整具の実施の一例を示す斜視図である。
【図４】角度調整具の実施の一例を示す分解斜視図である。
【図５】角度調整具の実施の一例を示す右側面図である。
【図６】角度調整具の実施の一例を示す左側面図である。
【図７】角度調整具を説明する一部断面側面図である。
【図８】歯部とギヤ部の関係を説明する要部拡大説明図である。
【図９】爪部材の枢着点を説明する説明図である。
【図１０】作用説明図である。
【図１１】作用説明図である。
【図１２】作用説明図である。
【符号の説明】
【００３３】
１  アーム部材
２  保持部材
３  空間部
４  ギヤ部
６  爪部材
６ａ  歯部
６ａ′中央位置の歯部
７  前面
９  背面
10  渦巻きばね
10ａ  内端係止部
10ｂ  外端係止部
11  ねじりばね
11ａ  一方端
11ｂ  他方端
12  操作レバー
13  回転小ローラ
14  角度調整具
15  係止片
16  起立片
17  背もたれ部
19  支持フレーム
20  座部フレーム
Ｌ  接線
Ｐ  接触点
Ｑ  ピッチ円
Ｓ  枢着点
【図１】
2008259613.tif 000003
【図２】
2008259613.tif 000004
【図３】
2008259613.tif 000005
【図４】
2008259613.tif 000006
【図５】
2008259613.tif 000007
【図６】
2008259613.tif 000008
【図７】
2008259613.tif 000009
【図８】
2008259613.tif 000010
【図９】
2008259613.tif 000011
【図１０】
2008259613.tif 000012
【図１１】
2008259613.tif 000013
【図１２】
2008259613.tif 000014